(57)【特許請求の範囲】
【請求項１】
外壁パネル間の縦目地よりも幅広に形成された弾性を有するシール部と、
該シール部の屋内側に前記縦目地よりも幅広な帯状に形成されたその両端部に細くなったヒレを形成し、その内部に目地幅より広い範囲の熱膨張性耐火材を収納した耐火部と、
該耐火部の屋内側から連なって突出して耐火部から離反する位置に膨らんで形成される前記シール部よりも硬質の樹脂により形成された凸条とを備えることを特徴とする耐火目地材。
【請求項２】
前記シール部は、屋外側に露出する蓋部と、該蓋部と前記耐火部との間に形成される帯状の柱状部と、該柱状部の両側から側方に突設される複数のリップと、を備え、
前記柱状部は、その内部にシール部の形状を保持する芯金が収納されることを特徴とする請求項１に記載の耐火目地材。
【請求項３】
外壁パネル間の縦目地よりも幅広に形成された弾性を有するシール部と、該シール部の屋内側に前記縦目地よりも幅広な帯状に形成されたその両端部に細くなったヒレを形成し、その内部に目地幅より広い範囲の熱膨張性耐火材を収納した耐火部と、該耐火部の屋内側から連なって突出して耐火部から離反する位置に膨らんで形成される前記シール部よりも硬質の樹脂により形成された凸条とを具備し、前記縦目地に圧入される耐火目地材と、
前記凸条を挟持する断面略Ｃ字状の挟持部と、前記外壁パネルに向かって広がって形成され、その先端が前記縦目地を形成する前記外壁パネルの互いに対向する面の屋内側の縁に係止される腕部と、を具備するクリップと、
を備えることを特徴とする外壁目地の耐火防水構造。
【請求項４】
前記耐火目地材の前記シール部は、屋外側に露出する蓋部と、該蓋部と前記耐火部との間に形成される帯状の柱状部と、該柱状部の両側から側方に突設される複数のリップと、を備え、
前記柱状部は、その内部にシール部の形状を保持する芯金が収納されることを特徴とする請求項３に記載の外壁目地の耐火防水構造。
【発明の詳細な説明】
【技術分野】
【０００１】
本発明は、外壁パネル間の縦目地に圧入されて縦目地から水が侵入することを防止するとともに、縦目地の耐火・遮炎を図ることができる耐火目地材及びこの耐火目地材を用いた外壁目地の耐火防水構造に関する。
【背景技術】
【０００２】
従来より外壁パネル間の縦目地から雨水等が侵入することを防止するために、縦目地の間に乾式の目地材を圧入して水密性を確保した目地構造が知られている。このような目地構造に用いられる目地材としては、例えば図９に示すように、隣接する外壁パネル間に形成された縦目地内に挿入される目地材１００であって、縦目地内に挿入される帯状の支柱部１０１と、この支柱部１０１の屋内側端部に形成され、経年劣化などにより目地材１００が縦目地から屋外側に飛び出すことを防ぐクリップを嵌める凸条１０２と、両側の外壁パネルの側面に圧接されるように支柱部１０１から左右の各側方にそれぞれ延出するリップ部１０３とが、熱可塑性樹脂によって一体的に成形された目地材本体１０４と、凸条１０２の内部から支柱部内１０１に埋め込まれた鋼板製の芯金１０５と、を具備するものが提案されている（例えば特許文献１)。
【０００３】
このような芯金１０５を埋め込んだ目地材１００は、目地材本体１０４の形状が保持され目地材１００を縦目地内に圧入する際に目地材の形が崩れず施工しやすいとともに、施工後には目地材１００の形が崩れていないので所望の防水性を発揮することができる。また、この芯金１０５は凸条１０２の内部にまで延在しているので、凸条１０２の形状を保持することができクリップを嵌めやすくなるとともに、このクリップが脱落することを抑制できる。
【０００４】
ところで、近年、乾式の目地材の中には、防水機能のみならず防火、遮炎機能を備え、火災等の際に目地から建物内部に炎が侵入し燃え広がることを防止するものも提案されている。例えば、図１０に示すように、外壁パネル２００間に形成される目地２０１に、建物内部への水の侵入を防止及び遮炎のため嵌込まれるゴムまたはゴム様弾性体より成る目地材２０２であって、中央柱部２０３の両側から各々シールリップ２０４が外壁の端面に向けて上下に複数段突設され、かつ室内側の最下段を除く室外側の上方のシールリップのうち少なくとも一カ所の段のシールリップ２０４に、遮炎性を有する板状の防火材料２０５が目地材の幅方向及び長手方向に略全面に亘り埋設された目地材２０２が提案されている（例えば、特許文献２)。
【０００５】
この目地材２０２によると、防火材料２０５がシールリップ２０４のに目地材２０２の幅方向に略全面に亘り埋設されているので、例えば屋外側から目地に向かって炎が当っても、目地には防火材料２０５が略全面に亘って配置されているので、炎が目地の屋内側に侵入する虞が無い。
【先行技術文献】
【特許文献】
【０００６】
【特許文献１】特開２０００−３５５９８３号公報
【特許文献２】特開２００４−３２４３９７号公報
【発明の概要】
【発明が解決しようとする課題】
【０００７】
しかし、上述のように、特許文献２のように目地材２０２の幅方向の略全面に亘って防火材料２０５を埋設する場合、この防火材料２０５を分断せずに芯金１０５を支柱部内１０１に埋め込むことは不可能である。特に屋内側に凸条１０２を設ける場合には芯金１０５を凸条１０２内部まで配置することはできない。したがって、目地材の形状が保持されにくくなり、施工作業が困難になるとともに、施工精度が落ちる虞や目地材が目地から屋外側に飛び出して十分な防水性を確保できない虞がある。
【０００８】
そこで、本発明は、十分な防水性及び耐火・遮炎性を有する耐火目地材及び外壁目地の耐火防水構造を提供することを目的とする。
【課題を解決するための手段】
【０００９】
請求項１に記載の耐火目地材は、外壁パネル間の縦目地よりも幅広に形成された弾性を有するシール部と、該シール部の屋内側に前記縦目地よりも幅広な帯状に形成されたその両端部に細くなったヒレを形成し、その内部に目地幅より広い範囲の熱膨張性耐火材を収納した耐火部と、該耐火部の屋内側から連なって突出して耐火部から離反する位置に膨らんで形成される前記シール部よりも硬質の樹脂により形成された凸条とを備えることを特徴としている。
【００１０】
請求項２に記載の耐火目地材は、前記シール部は、屋外側に露出する蓋部と、該蓋部と前記耐火部との間に形成される帯状の柱状部と、該柱状部の両側から側方に突設される複数のリップと、を備え、前記柱状部は、その内部にシール部の形状を保持する芯金が収納されることを特徴としている。
【００１１】
請求項３の外壁目地の耐火防水構造は、外壁パネル間の縦目地よりも幅広に形成された弾性を有するシール部と、該シール部の屋内側に前記縦目地よりも幅広な帯状に形成されたその両端部に細くなったヒレを形成し、その内部に目地幅より広い範囲の熱膨張性耐火材を収納した耐火部と、該耐火部の屋内側から連なって突出して耐火部から離反する位置に膨らんで形成される前記シール部よりも硬質の樹脂により形成された凸条とを具備し、前記縦目地に圧入される耐火目地材と、前記凸条を挟持する断面略Ｃ字状の挟持部と、前記外壁パネルに向かって広がって形成され、その先端が前記縦目地を形成する前記外壁パネルの互いに対向する面の屋内側の縁に係止される腕部と、を具備するクリップと、を備えることを特徴としている。
【００１２】
請求項４に記載の外壁目地の耐火防水構造は、前記耐火目地材の前記シール部は、屋外側に露出する蓋部と、該蓋部と前記耐火部との間に形成される帯状の柱状部と、該柱状部の両側から側方に突設される複数のリップと、を備え、前記柱状部は、その内部にシール部の形状を保持する芯金が収納されることを特徴としている。
【発明の効果】
【００１３】
請求項１に記載の耐火目地材及び請求項３に記載の外壁目地の耐火防水構造によると、縦目地よりも幅広に形成された弾性を有するシール部が、外壁パネル間の縦目地に圧入されることにより防水性を保持することができるとともに、このシール部の屋内側に縦目地よりも幅広に形成され内部に熱膨張性耐火材を収納した耐火部が配置されているので、火災等の場合には熱膨張性耐火材が目地内で膨張して、縦目地の耐火・遮炎性を発揮する。そして、この耐火部の更に屋内側にはシール部よりも硬質の樹脂により形成された凸条が形成されているので、耐火目地材が縦目地から屋外側に飛び出すことを防止するクリップを取り付ける作業が容易となり、経年劣化などにより耐火目地材が飛び出し、防水性及び耐火・遮炎性が低下することを防ぐことができる。
【００１４】
請求項２に記載の耐火目地材及び請求項４に記載の外壁目地の耐火防水構造によると、シール部の内部にはシール部の形状を保持する芯金が収納されているため、耐火部よりも屋外側でシール部の形状をより安定させることができ、一方で、耐火部の屋内側では凸条がシール部よりも硬質の樹脂により形成されているので、より形状を安定させることができる。したがって、施工作業が容易になるとともに、高い施工精度を保つことができる。
【図面の簡単な説明】
【００１５】
【図１】本発明の外壁目地の耐火防水構造の全体構成を示す外壁パネル固定用金具が設けられている高さレベルの省略断面図及びその一部拡大図。
【図２】本発明の外壁目地の耐火防水構造の全体構成を示すクリップが設けられている建物の高さレベルの省略断面図及びその一部拡大図。
【図３】本発明の耐火目地材の構成を説明する断面図。
【図４】本発明の耐火目地材の構成を説明する斜視図。
【図５】クリップの構成を説明する側面図及び斜視図。
【図６】耐火目地材にクリップを取り付けた状態を示す断面図。
【図７】クリップを取り付けた耐火目地材を外壁パネル間の縦目地に挿入する状態を説明する一部省略断面図であって、（Ａ）は外壁パネル固定用金具が設けられている高さレベルの断面を示し、（Ｂ）はクリップが設けられている建物の高さレベルの断面を示す省略断面図。
【図８】外壁パネルを軸組に固定する状態を説明する断面図。
【図９】従来の目地材の一例を示す断面図。
【図１０】従来の耐火性を有する目地材の一例を示す断面図。
【発明を実施するための形態】
【００１６】
以下、本発明の耐火目地材１及び外壁目地の耐火防水構造２の最良の実施形態について各図を参照しつつ説明する。外壁目地の耐火防水構造２は、図１及び図２に示すように、外壁パネル３間に形成される目地に圧入される耐火目地材１と、この耐火目地材１が屋外側に飛び出すことを防止するクリップ４とを備えている。なお、クリップ４は外壁パネル固定用金具５と重ならない建物の高さレベルに固定されており、図１では、図示の便宜上、外壁パネル固定用金具５の下方に配置されるクリップ４の記載を省略しており、図２では、クリップ４の下方に配置される外壁パネル固定用金具５の記載を省略している。
【００１７】
外壁パネル３は、図８に示すように、建物の構造躯体を構成する軸組６に外壁パネル固定用金具５を用いて複数固定して形成される。この外壁パネル３は、矩形平板状に形成された例えば樹脂系、セメント系、セラミック系、又は金属系のサイディング材である。この外壁パネル３の周縁の屋内側にはこの外壁パネル３を建物の梁や柱に固定するために断面Ｕ型の金属枠７が目地方向に開口して取り付けられている。
【００１８】
この外壁パネル３を軸組６に固定する外壁パネル固定用金具５は、軸組６に固定され、軸組６から屋外方向に突出する基部５１と、基部５１を軸として回転可能に固定されており、外壁パネル３の金属枠７を軸組６との間に挟持するパネル固定部５２と、このパネル固定部５２を回転動作させる操作部５３とを備える。外壁パネル３を固定する際には、軸組６に外壁パネル３の金属枠７を押し当てて、外壁パネル固定用金具５の操作部５３を操作してパネル固定部５２を回転させ、パネル固定部５２と軸組６とで外壁パネル３の金属枠７を挟持して固定する。このとき、操作部５３は、外壁パネル３間の縦目地の奥に位置するように構成されている。したがって、屋外側から目地内に図示しないドライバーなどの工具を挿入しつつ操作することにより、外壁パネル３を屋外側から取り付けることができ、また、リフォームなどの際にも外壁パネル３を屋外側から取り外すことができる。
【００１９】
耐火目地材１は、図３及び図４に示すように、外壁パネル３間に形成される縦目地に沿って圧入される細長い目地材であって、縦目地よりも幅広に形成された弾性を有するシール部１０と、このシール部１０の屋内側にシール部１０に沿って形成された目地幅よりも幅広な帯状の耐火部８と、この耐火部８の更に屋内側にこの耐火部８の中心に沿って形成された凸条９と、を備えている。
【００２０】
このシール部１０は、図３によく表されるように、外壁パネル３間に形成される縦目地の屋外側に露出して縦目地を覆う蓋部１１と、この蓋部１１と耐火部８とを連結するように、耐火目地材１の中心に帯状に延在する柱状部１２と、柱状部１２の両側から側方に突設される一対のリップ１３と、このリップ１３と蓋部１１、及びリップ１３と耐火部８を互いに連結して、柱状部１２との間に管状の空間を形成する側面部１４と、により形成されている。また、柱状部１２の内部には、金属板を折り曲げて形成した芯金１５が、柱状部１２の全域に亘って収納されており、柱状部１２の形状が変形することを抑制している。
【００２１】
このシール部１０の少なくとも防水性を確保するリップ１３及び側面部１４は軟質材料により形成されており、例えば、オレフィン系熱可塑性エラストマー（ＴＰＯ）、スチレン系熱可塑性エラストマー（ＴＰＳ）、塩ビ系熱可塑性エラストマー（ＴＰＶＣ）などの熱可塑性エラストマー（ＴＰＥ）であり、好ましくはオレフィン系熱可塑性エラストマー（ＴＰＯ）により形成されている。なお、このシール部１０の材質はこれらの熱可塑性エラストマーに限定されるものではなく、外壁パネル３間に形成された縦目地に圧入されて防水性を発揮することができる軟質のあらゆる弾性材料を適用することができる。したがって、例えばゴム材であってもよい。
【００２２】
耐火部８は、柱状部１２及び側面部１４でシール部１０の屋内側に連結されており、シール部１０に沿って目地幅よりも幅広な帯状に形成されている。耐火部８の両側部は、細くなってヒレ１７を形成している。また耐火部８の内部には、目地幅よりも広い範囲に熱膨張性耐火材１６が埋め込まれている。この熱膨張性耐火材１６としては、例えば火災などで、縦目地に炎が侵入しようとした時に、この縦目地を完全に閉鎖できる量及び膨張性を有し、耐火・遮炎性を有する種々の熱膨張性耐火材１６を用いることができる。
【００２３】
凸条９は、耐火部８の屋内側から連なって突出しており、耐火部８から離反する位置で膨らんで形成されている。この凸条９は硬質の樹脂により形成されており、例えばポリエチレン（PE）、ポリプロピレン（PP）などの熱可塑性ポリオレフィン（ＰO）と、オレフィン系熱可塑性エラストマー（ＴＰＯ）、スチレン系熱可塑性エラストマー（ＴＰＳ）、塩ビ系熱可塑性エラストマー（ＴＰＶＣ）などの熱可塑性エラストマー（ＴＰＥ）を列挙することができ、好ましくはポリオレフィン（ＰO）である。これらの硬質の樹脂を用いることで、凸条９内部に姿勢を安定させる芯金１５が収納されていなくても、形状が変形することがない。なお、この凸条９の材質はこれらに限定されるものではなく、凸条９の形状を安定させることができるあらゆる材料を適用することができる。例えば、ゴム材であってもよい。
【００２４】
クリップ４は、図５及び図６に示すように、耐火目地材１の凸条９を挟持することができる先端がそれぞれ内側に折曲された断面凹字状の挟持部４１と、目地に設置された際には屋外方向に向かって広がって形成され、その先端が外壁パネル３の互いに対向する面の屋内側の縁に係止される腕部４２と、を具備しており、一定の弾性を有する金属又は樹脂により形成されている。
【００２５】
外壁目地の耐火防水構造２を施工する際には、図８に示すように、外壁パネル３を外壁パネル固定用金具５に取り付けて固定し縦目地を形成した後で、図６に示すように、複数のクリップ４を耐火目地材１の凸条９の適宜位置に所定間隔を開けて固定する。このときクリップ４の挟持部４１はその先端が内側に折曲されており、凸条９は膨らんで形成されているので、クリップ４と凸条９とが外れないように固定することができる。そして、次に図７（Ａ）に示すように、外壁パネル固定用金具５が設置された高さレベルに、耐火目地材１のクリップ４が設置されていない位置が配置され、図７（Ｂ)に示すように、外壁パネル固定用金具５が設置されていない高さレベルに、耐火目地材１のクリップ４が設置された位置が配置されるように保持して、耐火目地材１の蓋部１１を図示しないシールジョイントゲージ（挿入用治具）などで押し込んで、耐火目地材１を縦目地内に圧入する。
【００２６】
そして、図２（Ａ）及び（Ｂ）に示すように、クリップ４の腕部４２の先端が縦目地を形成する外壁パネル３の屋内側縁部に係止される位置まで、耐火目地材１を圧入して、外壁目地の耐火防水構造２を完成させる。
【００２７】
このように外壁目地の耐火防水構造２は、火災等の場合には熱膨張性耐火材１６が目地内で膨張して、縦目地の耐火・遮炎性を発揮するので、この目地材と外壁パネル固定用金具５との間に不燃材の充填材を挿入する必要がなくなり、材料コスト及び作業コストを削減することができる。また、シール部１０の柱状部１２にはシール部１０の形状を保持する芯金１５が収納されているため、耐火部８よりも屋外側でシール部１０の形状をより安定させることができ、耐火部８の更に屋内側にはシール部１０よりも硬質の樹脂により形成された凸条９が形成されているので、耐火目地材１が縦目地から屋外側に飛び出すことを防止するクリップ４を取り付ける作業が容易となり、経年劣化などにより耐火目地材１が飛び出し、防水性及び耐火・遮炎性が低下することを防ぐことができるとともに、より形状を安定させることができる。したがって、施工作業が容易になるとともに、高い施工精度を保つことができる。
【００２８】
なお、本発明の実施の形態は上述の形態に限ることなく、本発明の思想の範囲を逸脱しない範囲で適宜変更することができることは云うまでもない。
【産業上の利用可能性】
【００２９】
本発明に係る耐火目地材１及び耐火防水構造は、住宅等の外壁パネル３間の縦目地に圧入される目地材及び目地構造として、好適に用いることができる。
【符号の説明】
【００３０】
１          耐火目地材
２          外壁目地の耐火防水構造
４          クリップ
８          耐火部
９          凸条
１０        シール部
１２        柱状部
１３        リップ
１５        芯金
１６        熱膨張性耐火材
【図１】
0005565901.tif 000002
【図２】
0005565901.tif 000003
【図３】
0005565901.tif 000004
【図４】
0005565901.tif 000005
【図５】
0005565901.tif 000006
【図６】
0005565901.tif 000007
【図７】
0005565901.tif 000008
【図８】
0005565901.tif 000009
【図９】
0005565901.tif 000010
【図１０】
0005565901.tif 000011